(57)【要約】【課題】尿が素早く吸収され、周縁部から漏れ出すこともなく、悪臭の発生を防止でき、室内を清潔に保つことができるペット用トイレシーツとその作製方法を提供する。【解決手段】不織布２１と、不透液性フィルム４１と、この不透液性フィルム４１、不織布２１の間に介在し、不織布２１側から不透液性フィルム４１側へ第一吸水ポリマー層３１１、第一パルプ層３２１、第二吸水ポリマー層３１２、第二パルプ層３２２の順に構成された吸液シート３とからなるペット用トイレシーツ１であって、このペット用トイレシーツ１の周縁部１ａに吸液シート３の盛り上がり部３５を含むせき止め部１１を設け、吸液シート３の不織布２１側表面に大きな凹部３３を設けるとともに、不織布２１側表面全体にエンボス加工による小さな凹凸３４を形成した。【選択図】図１
2008237185.tif 000002
【特許請求の範囲】
【請求項１】
透液性の表面シーツと、
不透液性の裏面シーツと、
この裏面シーツ、前記表面シーツの間に介在する吸液シートと、
からなるペット用トイレシーツにおいて、
前記吸液シートの前記表面シーツ側表面の少なくとも一部に、凹部を設けたことを特徴とするペット用トイレシーツ。
【請求項２】
透液性の表面シーツと、
不透液性の裏面シーツと、
この裏面シーツ、前記表面シーツの間に介在する吸液シートと、
からなるペット用トイレシーツにおいて、
前記吸液シートの前記表面シーツ側表面に、周縁部から中央部へ向けて前記吸液シートの厚みが薄くなるような凹部を設けたことを特徴とするペット用トイレシーツ。
【請求項３】
請求項１または請求項２に記載のペット用トイレシーツにおいて、
前記吸液シートの前記表面シーツ側表面に設ける凹部を、エンボス加工を兼ね、凸部を有する圧縮手段により設けたことを特徴とするペット用トイレシーツ。
【請求項４】
請求項１から請求項３までに記載のペット用トイレシーツにおいて、
周縁部にせき止め部を形成したことを特徴とするペット用トイレシーツ。
【請求項５】
請求項４に記載のペット用トイレシーツにおいて、
前記せき止め部を、少なくとも吸水ポリマーまたはパルプを含有させて形成したことを特徴とするペット用トイレシーツ。
【請求項６】
吸液シートを、エンボス加工を兼ね、凸部を備えた圧縮手段により圧縮し、前記吸液シートの表面シーツ側表面全体にエンボス加工による凹凸を形成するとともに、前記吸液シートの前記表面シーツ側表面の少なくとも一部に凹部を設ける工程と、
この工程により形成された、前記吸液シートの凹部とエンボス加工による凹凸とを有する面を、表面シートで覆面する工程と、
前記吸液シートの凹部とエンボス加工による凹凸とを有しない面を、裏面シートで覆面する工程と、
から構成されるペット用トイレシーツの作製方法。
【請求項７】
吸液シートを、エンボス加工を兼ね、凸部を備えた圧縮手段により圧縮し、前記吸液シートの表面シーツ側表面全体にエンボス加工による凹凸を形成するとともに、前記吸液シートの表面シーツ側表面に周縁部から中央部へ向けて前記吸液シートの厚みが薄くなるような凹部を設ける工程と、
この工程により形成された、前記吸液シートの凹部とエンボス加工による凹凸とを有する面を、表面シートで覆面する工程と、
前記吸液シートの凹部とエンボス加工による凹凸とを有しない面を、裏面シートで覆面する工程と、
から構成されるペット用トイレシーツの作製方法。
【発明の詳細な説明】
【技術分野】
【０００１】
本発明は、犬や猫などのペットに室内の決められた場所で用を足す習慣をつけさせることができるペット用トイレシーツに関し、素早く尿を吸収し、端から尿が漏れ出すことがないペット用トイレシーツとその作製方法に関する。
【背景技術】
【０００２】
最近のペットブームを背景に、犬や猫などのペットを室内で飼う機会が増えている。そして、ペットに決められた場所（ペット用のトイレ）で用を足す習慣をつけさせて、室内をペットの糞尿で汚さないようにするためのペット用トイレシーツが、例えば、特許文献１に示されている。
【特許文献１】特開２００５−２７５３７号公報
【０００３】
従来のペット用トイレシーツ１は、例えば、図７に示す通り、ペットの四肢等と直接触れる透液性の表面シーツ２と、室内の床、プラスチックトレイなどと接する不透液性の裏面シーツ４と、この裏面シーツ４、表面シーツ２の間に介在し、ペットの尿を吸収して保持する吸液シート３とで構成されている。なお、表面シーツ２は、例えば、不織布２１であり、裏面シーツ４は、例えば、プラスチック、合成ゴム等を材質とする不透液性フィルム４１である。
【０００４】
吸液シート３は、吸水ポリマー３１で形成された層と、パルプ３２で形成された層とが複数積層されて構成されている。パルプ３２の層は、素早くペットの尿を吸収することができる特徴があり、吸水ポリマー３１の層は、ペットの尿を直接的に、またはパルプ３２の層に吸収された尿を間接的に吸水して膨張し、保持することができる特徴がある。例えば、図７において、吸液シート３は、二つのパルプ３２の層の間に、二つの吸水ポリマー３１の層が挟まれるようにして構成されている。
【０００５】
したがって、ペットがペット用トイレシーツ１の表面シーツ２である不織布２１の上で放尿すると、ペットの尿は、不織布２１を通過し、まず、吸液シート３の不織布２１側に位置する一のパルプ３２の層に吸収される。さらに、一のパルプ３２の層に吸収された尿は、二つの吸水ポリマー３１の層によって徐々に吸水され、保持される。なお、裏面シーツ４である不透液性フィルム４１側に位置する他のパルプ３２の層は、例えば、ペットの放尿が過剰量であった場合に、一のパルプ３２の層にて吸収されず、二つの吸水ポリマー３１の層によっても吸水されない余剰の尿を吸収するために予備的配置されている。
【発明の開示】
【発明が解決しようとする課題】
【０００６】
しかし、上記のようなペット用トイレシーツ１では、ペットが放尿し、その尿を不織布２１側に位置する一のパルプ３２の層が素早く吸収しても、ブロッキング現象と呼ばれる、吸水ポリマー３１の層が尿を吸水しはじめるまでにタイムラグが生じる現象が起こるため、放尿された尿が、不織布２１や一のパルプ３２の層にしばらく残こるという問題がある。このため、ペットが用を足した後も、しばらく不織布２１などが濡れている状態が続くので、不潔であり、室内に尿の悪臭が漂うという問題が発生する。また、犬猫などのペットは習性により、ペット用トイレシーツ１の端にて放尿する場合が多いため、これによりペット用トイレシーツ１の端から床へ尿が漏れ出て、室内の床が汚れ、掃除が大変であるという問題もある。そして、ペット用トイレシーツ１の端から繰り返し尿が漏れ出て、室内の床が汚れてしまうと、掃除によっても室内に漂う悪臭を取り除けなくなるといった重大な問題もあった。
【０００７】
本発明は、上記実情に鑑み提案され、ペットの尿を素早く吸収し、保持して、悪臭の発生を防止することができ、さらに、端から尿が漏れ出さないで室内を清潔に保つことができるペット用トイレシーツとその作製方法を提供することを目的とする。
【課題を解決するための手段】
【０００８】
上記目的を達成するために、本発明に係るペット用トイレシーツは、透液性の表面シーツと、不透液性の裏面シーツと、この裏面シーツ、前記表面シーツの間に介在する吸液シートと、からなるペット用トイレシーツにおいて、前記吸液シートの前記表面シーツ側表面の少なくとも一部に、凹部を設けたことを特徴とする。
【０００９】
また、透液性の表面シーツと、不透液性の裏面シーツと、この裏面シーツ、前記表面シーツの間に介在する吸液シートと、からなるペット用トイレシーツにおいて、前記吸液シートの前記表面シーツ側表面に、周縁部から中央部へ向けて前記吸液シートの厚みが薄くなるような凹部を設けたことを特徴とする。
【００１０】
そして、上記した吸液シートの前記表面シーツ側表面に設ける凹部は、エンボス加工を兼ね、凸部を有する圧縮手段により設けることが好ましい。
【００１１】
さらに、上記したペット用トイレシーツの周縁部にせき止め部を形成することが好ましく、さらに好ましくは、前記せき止め部を少なくとも吸水ポリマーまたはパルプを含有させて形成するとよい。
【００１２】
なお、上記したペット用トイレシーツは、吸液シートを、エンボス加工を兼ね、凸部を備えた圧縮手段により圧縮し、前記吸液シートの表面シーツ側表面全体にエンボス加工による凹凸を形成するとともに、前記吸液シートの表面シーツ側表面に少なくとも一部の凹部、または、周縁部から中央部へ向けて前記吸液シートの厚みが薄くなるような凹部を設ける工程と、この工程により形成された、前記吸液シートの凹部とエンボス加工による凹凸とを有する面を、表面シートで覆面する工程と、前記吸液シートの凹部とエンボス加工による凹凸とを有しない面を、裏面シートで覆面する工程と、から構成されるペット用トイレシーツの作製方法により作製することが好ましい。
【発明の効果】
【００１３】
本発明に係るペット用トイレシーツは、吸液シートの表面シーツ側表面の少なくとも一部に凹部を設けたので、ペットの尿が吸液シートに吸収されつつ、吸液シートに設けた凹部に沿って尿の流れる向きが形成されるため、尿を効率よく吸液シートに吸収、保持することができる。これにより、ペット用トイレシーツの表面シーツに尿がしばらく残るということがなくなり、表面シーツなどが濡れている状態が続くということがなくなって、室内のペットの尿による悪臭の発生を防止することができる。
【００１４】
また、吸液シートの表面シーツ側表面に、周縁部から中央部へ向けて吸液シートの厚みが薄くなるような凹部を設けたので、ペットがペット用トイレシーツの周縁部にて放尿しても、ペットの尿が吸液シートに吸収されつつ、吸液シートの表面シーツ側表面に設けた凹部に沿って尿の流れる向きが形成されて、尿を効率よく吸液シートに吸収、保持することができ、室内のペットの尿による悪臭の発生を防止しつつ、ペット用トイレシーツの端から尿が漏れ出て、室内の床が汚れることを防止することができる。
【００１５】
また、上記した吸液シートの表面シーツ側表面に設ける凹部は、エンボス加工を兼ね、凸部を有する圧縮手段により設けたので、ペットがペット用トイレシーツの周縁部にて放尿しても、ペットの尿が吸液シートに吸収されつつ、吸液シートの表面シーツ側表面の凹部に沿って尿の流れる向きを形成することができ、さらに、エンボス加工による凹凸によって、尿の流れる向きの形成を促進させることができて、尿を効率よく吸液シートに吸収、保持することができ、室内のペットの尿による悪臭の発生を防止することができる。
【００１６】
また、ペット用トイレシーツの周縁部にせき止め部を形成したので、ペットがペット用トイレシーツの周縁部にて放尿しても、せき止め部にて尿を吸収することができ、ペット用トイレシーツの端から尿が漏れ出て、室内の床が汚れることを防止することができる。特に、ペット用トイレシーツの表面シーツの周縁部のせき止め部を、吸液シートと同様の成分である、少なくとも吸水ポリマーまたはパルプを含有させて形成したので、ペット用トイレシーツの端から尿が漏れ出て、室内の床が汚れることを確実に防止することができて、室内を清潔に保つことができる。
【発明を実施するための最良の形態】
【００１７】
以下、本発明に係る一実施形態を図面に基づいて詳細に説明する。図１は、本発明に係る実施例１におけるペット用トイレシーツの概略断面図、図２は、本発明に係る実施例２におけるペット用トイレシーツの概略断面図、図３は、本発明に係る実施例３におけるペット用トイレシーツの概略断面図、図４は、本発明に係る実施例４におけるペット用トイレシーツの概略断面図、図５は、本発明に係る実施例５におけるペット用トイレシーツの概略断面図である。図６（ａ）〜（ｃ）は、本発明に係るペット用トイレシーツの作製方法を示す概略工程図であって、図６（ａ）が、エンボス加工を兼ね、凸部を有する圧縮手段により圧縮する工程の概略斜視図、図６（ｂ）が、不織布で覆面する工程の概略正面図、図６（ｃ）が、不透液性フィルムで覆面する工程の概略正面図である。なお、図７に従来例として示したペット用トイレシーツと同一又は相当部分には、同一符号を付して説明を省略する。
【００１８】
本発明に係るペット用トイレシーツ１は、図１から図５までに示す通り、透液性の表面シーツ２としての不織布２１と、不透液性の裏面シーツ４としての不透液性フィルム４１と、この不透液性フィルム４１、不織布２１の間に介在する吸液シート３とで構成され、この吸液シート３を、エンボス加工を兼ね、凸部を有する圧縮手段によって圧縮することにより、吸液シート３の不織布２１側表面に大きな凹部３３を設けるとともに、不織布２１側表面全体にエンボス加工による小さな凹凸３４を形成したものである。
【００１９】
（実施例１）
まず、図１に示す通り、吸液シート３は、不織布２１側の第一吸水ポリマー層３１１と、この第一吸水ポリマー層３１１の不織布２１側の面と反対側の面に接する第一パルプ層３２１と、この第一パルプ層３２１の第一吸水ポリマー層３１１が接する面と反対側の面に接する第二吸水ポリマー層３１２と、この第二吸水ポリマー層３１２の第一パルプ層３２１が接する面と反対側の面に接する第二パルプ層３２２と、で構成されている。
【００２０】
特に、第一吸水ポリマー層３１１の不織布２１側の面は、周縁部３ａから中央部へ向けて吸液シート３の厚みが薄くなるように凹んでいて、この凹みが、吸液シート３の不織布２１側表面に設けられた大きな凹部３３に相当する。また、第一吸水ポリマー層３１１の不織布２１側表面全体には、エンボス加工による小さな凹凸３４が形成されている。
【００２１】
吸液シート３の周縁部３ａには、盛り上がり部３５が形成されている。吸液シート３の周縁部３ａの盛り上がり部３５は、不織布２１に覆われることで、ペット用トイレシーツ１の周縁部１ａのせき止め部１１を形成している。
【００２２】
なお、ペット用トイレシーツ１の周縁部１ａのせき止め部１１は、不織布２１の周縁部と、第一吸水ポリマー層３１１の周縁部、第一パルプ層３２１の周縁部、第二吸水ポリマー層３１２の周縁部、第二パルプ層３２２の周縁部からなる吸液シート３の周縁部３ａとで構成されている。
【００２３】
本実施例１に係るペット用トイレシーツ１の作製方法は、図６のように、吸液シート３を、エンボス加工を兼ね、凸部を有する圧縮手段１００により圧縮する工程Ａと、この工程Ａにより形成された、大きな凹部３３とエンボス加工による小さな凹凸３４とを有する吸液シート３の不織布２１側表面となる面を、不織布２１で覆面する工程Ｂと、吸液シート３の凹部３３と凹凸３４を有しない面を、不透液性フィルム４１で覆面する工程Ｃと、から構成されている。
【００２４】
具体的には、図１および図６に基づいて説明する。
まず、第一パルプ層３２１の一方の面に、吸水ポリマーを噴霧して第一吸水ポリマー層３１１を形成する。第一パルプ層３２１の他方の面には、吸水ポリマーを噴霧して第二吸水ポリマー層３１２を形成する。さらに、この第二吸水ポリマー層３１２の第一パルプ層３２１に接する面と反対側の面に第二パルプ層３２２を接合させて、吸液シート３を作製する。
【００２５】
続いて、作製した吸液シート３をエンボス加工を兼ね、凸部を有する圧縮手段１００により圧縮する工程Ａにより、 吸液シート３の不織布２１側表面となる面に大きな凹部３３を設けるとともに、吸液シート３の不織布２１側表面となる面全体にエンボス加工による小さな凹凸３４を形成する。その後、不織布２１で覆面する工程Ｂにより、吸液シート３の大きな凹部３３と小さな凹凸３４とを有する不織布２１側表面となる面を不織布２１で覆う。さらに、不透液性フィルム４１で覆面する工程Ｃにより、吸液シート３の大きな凹部３３と小さな凹凸３４とを有しない面を不透液性フィルム４１で覆う。
【００２６】
最後に、表面側から裏面側へ不織布２１、吸液シート３、不透液性フィルム４１の順に接合している三者を一体的に裁断し、ペット用トイレシーツ１を作製する。なお、吸液シート３の周縁部３ａの盛り上がり部３５は、エンボス加工を兼ね、凸部を有する圧縮手段１００により圧縮する工程Ａを行うことで、吸液シート３の周縁部３ａが中央部に比べて相対的に盛り上がることにより、形成される。
【００２７】
そうすると、本実施例１に係るペット用トイレシーツ１は、ペットが放尿しても、ペットの尿が吸液シート３に吸収されつつ、不織布２１側表面に設けられた大きな凹部３３に沿って尿の流れる向きが形成されるので、放尿された尿が効率よく吸液シート３に吸収され、保持される。また、この効果は、エンボス加工により吸液シート３の不織布２１側表面全体に形成された小さな凹凸３４によって促進される。
【００２８】
さらに、ペット用トイレシーツ１の周縁部１ａにてペットが放尿しても、ペット用トイレシーツ１の周縁部１ａのせき止め部１１によって、尿が素早く吸収され、保持されつつ、不織布２１側表面に設けられた大きな凹部３３に沿って尿の流れる向きが形成されるので、放尿された尿が効率よく吸液シート３に吸収され、保持されて、ペット用トイレシーツ１の端から尿が漏れ出るということが防止される。
【００２９】
（実施例２）
ここで、図２に示す通り、本発明に係るペット用トイレシーツ１における吸液シート３を、実施例１の吸液シートにおける第一パルプ層３２１に代えて、一方の面の中央部に凹みを有するように処理された第一パルプ層３２１を用いて構成してもよい。すなわち、本実施例２に係るペット用トイレシーツ１の吸液シート３を、一方の面の中央部に凹みを有するように処理された第一パルプ層３２１と、この第一パルプ層３２１の中央部に凹みを有するように処理された面に接する第一吸水ポリマー層３１１と、この第一吸水ポリマー層３１１が接する第一パルプ層３２１の面と反対側の面に接する第二吸水ポリマー層３１２と、この第二吸水ポリマー層３１２の第一パルプ層３２１が接する面と反対側の面に接する第二パルプ層３２２と、で構成してもよい。そうすると、本実施例２に係る吸液シート３における第一吸水ポリマー層３１１は、第一パルプ層３２１の凹みを有する面に吸水ポリマーが噴霧され、中央部が凹んで形成される。
【００３０】
なお、本実施例２に係るペット用トイレシーツ１の作製方法は、一方の面の中央部に凹みを有するように処理された第一パルプ層３２１を用い、この第一パルプ層３２１の凹みを有する面に、吸水ポリマーを噴霧して、中央部が凹んだ第一吸水ポリマー層３１１を形成すること以外、実施例１のペット用トイレシーツ１の作製方法と同様である。
【００３１】
そうすると、本実施例２に係るペット用トイレシーツ１は、実施例１のペット用トイレシーツ１の特徴に加え、特に、一方の面の中央部に凹みを有するように処理された第一パルプ層３２１を用いたことにより、吸液シート３の不織布２１側表面の中央部が凹んだので、より効率的に、吸液シート３の不織布２１側表面に設けられた大きな凹部３３に沿って尿の流れる向きを形成することができる。
【００３２】
（実施例３）
また、図３に示す通り、本発明に係るペット用トイレシーツ１における吸液シート３を、中央部が凹んでいる第一吸水ポリマー層３１１と、この第一吸水ポリマー層３１１の不織布２１側の面と反対側の面に接し、この第一吸水ポリマー層３１１に接する凹みを有さない第一パルプ層３２１と、この第一パルプ層３２１の第一吸水ポリマー層３１１が接する面と反対側の面に接する第二吸水ポリマー層３１２と、この第二吸水ポリマー層３１２の第一パルプ層３２１が接する面と反対側の面に接する第二パルプ層３２２と、で構成してもよい。
【００３３】
すなわち、本実施例３に係るペット用トイレシーツ１の作製方法は、第一パルプ層３２１の一方の面に、吸水ポリマーを噴霧して第一吸水ポリマー層３１１を形成する際、吸水ポリマーを中抜きしつつ噴霧して、中央部が凹んだ第一吸水ポリマー層３１１を形成する。それ以外は、上記した実施例１のペット用トイレシーツ１の作製方法と同様である。
【００３４】
そうすると、本実施例３に係るペット用トイレシーツ１では、実施例２に係るペット用トイレシーツ１の特徴に加え、特に、使用する吸水ポリマーの量を節約でき、コスト削減および環境負荷低減などの効果を期待することができる。
【００３５】
（実施例４）
また、図４に示す通り、本発明に係るペット用トイレシーツ１における吸液シート３を、中央部が凹んでいる第一吸水ポリマー層３１１と、この第一吸水ポリマー層３１１の不織布２１側の面と反対側の面に接する第二吸水ポリマー層３１２と、この第二吸水ポリマー層３１２の第一吸水ポリマー層３１１に接する面と反対側の面に接する凹みを有さない第一パルプ層３２１と、で構成してもよい。
【００３６】
すなわち、本実施例４に係るペット用トイレシーツ１の作製方法は、第一パルプ層３２１の一方の面に吸水ポリマーを噴霧して第二吸水ポリマー層３１２を形成し、さらに、この第二吸水ポリマー層３１２の第一パルプ層３２１に接する面と反対側の面に、吸水ポリマーを中抜きしつつ噴霧して、中央部が凹んだ第一吸水ポリマー層３１１を形成し、吸水シート３を作製する。そして、作製した吸液シート３からペット用トイレシーツ１を作製していく工程までは、上記した実施例１のペット用トイレシーツ１の作製方法と同様である。
なお、吸液シート３の周縁部３ａの盛り上がり部３５は、吸液シート３をエンボス加工を兼ね、凸部を有する圧縮手段１００により圧縮する工程Ａにより圧縮することで、第一吸水ポリマー層３１１の周縁部、第二吸水ポリマー層３１２の周縁部、第一パルプ層３２１の周縁部からなる吸液シート３の周縁部３ａが中央部に比べて相対的に盛り上がることにより、形成される。
【００３７】
そうすると、本実施例４に係るペット用トイレシーツ１は、実施例３に係るペット用トイレシーツ１の特徴に加え、吸液シート３の有するパルプ層が第一パルプ層３２１の一層のみとなるので、パルプが堅いためにペット用トイレシーツ１を折り畳みにくいという問題を解決することができる。  
【００３８】
（実施例５）
また、図５に示す通り、本発明に係るペット用トイレシーツ１における吸液シート３を、中央部が凹んでいる第一吸水ポリマー層３１１と、この第一吸水ポリマー層３１１の不織布２１側の面と反対側の面に接し、中央部が凹んでいる第二吸水ポリマー層３１２と、この第二吸水ポリマー層３１２の第一吸水ポリマー層３１１に接する面と反対側の面に接し、第二吸水ポリマー層３１２に接する面の中央部に凹みを有するように処理された第一パルプ層３２１と、で構成してもよい。
【００３９】
本実施例５に係るペット用トイレシーツ１の作製方法は、一方の面の中央部に凹みを有するように処理された第一パルプ層３２１を用い、この第一パルプ層３２１の凹みを有する面に吸水ポリマーを噴霧して中央部が凹んだ第二吸水ポリマー層３１２を形成し、この中央部が凹んだ第二吸水ポリマー層３１２の第一パルプ層３２１に接する面と反対側の面に、吸水ポリマーを噴霧して、中央部が凹んだ第一吸水ポリマー層３１１を形成し、吸液シート３を作製する。そして、作製した吸液シート３からペット用トイレシーツ１を作製していく工程までは、上記した実施例１のペット用トイレシーツ１の作製方法と同様である。
なお、吸液シート３の周縁部３ａの盛り上がり部３５は、吸液シート３をエンボス加工を兼ね、凸部を有する圧縮手段１００により圧縮する工程Ａにより圧縮することで、第一吸水ポリマー層３１１の周縁部、第二吸水ポリマー層３１２の周縁部、第一パルプ層３２１の周縁部からなる吸液シート３の周縁部３ａが中央部に比べて相対的に盛り上がることにより、形成される。
【００４０】
そうすると、本実施例５に係るペット用トイレシーツ１は、実施例１に係るペット用トイレシーツ１の特徴に加え、特に、一方の面の中央部に凹みを有するように処理された第一パルプ層３２１を用いたので、より効率的に、吸液シート３の不織布２１側表面に設けられた大きな凹部３３に沿って、尿の流れる向きが形成される。また、吸液シート３の有するパルプ層が第一パルプ層３２１の一層のみとなるので、パルプが堅いためにペット用トイレシーツ１を折り畳みにくいという問題を解決することもできる。
【００４１】
したがって、図１から図５までに示す通り、本発明に係るペット用トイレシーツ１は、ペットが放尿しても、吸液シート３において、吸液シート３の不織布２１側表面に設けられた大きな凹部３３に沿って尿の流れる向きを形成することができるので、素早く尿を吸収し、保持して、室内のペットの尿による悪臭の発生を防止することができる。さらに、ペットが習性によりペット用トイレシーツ１の周縁部１ａにて放尿しても、ペット用トイレシーツ１の周縁部１ａのせき止め部１１により、ペット用トイレシーツ１の端から尿が漏れ出て、室内の床が汚れることを防止することができる。すなわち、ペットの尿による室内の不潔の問題が解消され、室内を清潔に保つことができるペット用トイレシーツ１を提供することができる。
【００４２】
以上、本発明の一実施形態を詳述したが、本発明は上記の一実施形態に限定されるものではない。そして本発明は、特許請求の範囲に記載された事項を逸脱することがなければ、種々の設計変更を行うことが可能である。
【００４３】
上記した実施例では、ペット用トイレシーツにおける吸液シートに、周縁部から中央部へ向けて薄くなるような凹部を設けた例を示したが、例えば、エンボス加工を兼ね、凸部を有する圧縮手段により圧縮する工程により、吸液シートの表面シーツ側表面に左右方向に貫通するような凹部を設けたペット用トイレシーツであっても、ペットの尿が吸液シートに吸収されつつ、表面シーツ側表面に設けられた凹部に沿って尿の流れる向きが形成され、この尿の流れる向きがエンボス加工による凹凸によって促進されるので、放尿された尿を効率よく吸液シートに吸収し、保持することができる。
【００４４】
また、上記した実施例２から５までに係るペット用トイレシーツは、エンボス加工を兼ね、凸部を有する圧縮手段により圧縮する工程により、吸液シートを圧縮しなくても、吸液シートの表面シーツ側表面の中央部が凹んでいるので、この中央部の凹みへ向けて尿の流れる向きを形成することができる。ただし、ペットがペット用トイレシーツの周縁部にて放尿しても、尿を素早く吸収し、保持することができるようにし、かつ、ペット用トイレシーツの端から尿が漏れ出さないようにするためには、吸液シートを、エンボス加工を兼ね、凸部を有する圧縮手段により圧縮し、吸液シートの表面シーツ側表面に大きな凹部とエンボス加工による小さな凹凸とを設けるとともに、吸液シートの周縁部に盛り上がり部を形成することが好ましい。
【図面の簡単な説明】
【００４５】
【図１】本発明に係る実施例１におけるペット用トイレシーツの概略断面図である。
【図２】本発明に係る実施例２におけるペット用トイレシーツの概略断面図である。
【図３】本発明に係る実施例３におけるペット用トイレシーツの概略断面図である。
【図４】本発明に係る実施例４におけるペット用トイレシーツの概略断面図である。
【図５】本発明に係る実施例５におけるペット用トイレシーツの概略断面図である。
【図６】本発明に係るペット用トイレシーツの作製方法を示す概略工程図であって、（ａ）は、エンボス加工を兼ね、凸部を有する圧縮手段により圧縮する工程の概略斜視図、（ｂ）は、不織布で覆面する工程の概略正面図、（ｃ）は、不透液性フィルムで覆面する工程の概略正面図である。
【図７】従来のペット用トイレシーツの概略断面図である。
【符号の説明】
【００４６】
１      ペット用トイレシーツ
１ａ    ペット用トイレシーツの周縁部
１１    ペット用トイレシーツの周縁部のせき止め部
２      表面シーツ  
２１    不織布
３      吸液シート
３ａ    吸液シートの周縁部
３１    吸水ポリマー
３１１  第一吸水ポリマー層
３１２  第二吸水ポリマー層
３２    パルプ
３２１  第一パルプ層
３２２  第二パルプ層
３３    大きな凹部
３４    小さな凹凸
３５    盛り上がり部
４      裏面シーツ
４１    不透液性フィルム
１００  エンボス加工を兼ね、凸部を有する圧縮手段
２００  ロール
Ａ      エンボス加工を兼ね、凸部を有する圧縮手段により圧縮する工程
Ｂ      不織布で覆面する工程
Ｃ      不透液性フィルムで覆面する工程
【図１】
2008237185.tif 000003
【図２】
2008237185.tif 000004
【図３】
2008237185.tif 000005
【図４】
2008237185.tif 000006
【図５】
2008237185.tif 000007
【図６】
2008237185.tif 000008
【図７】
2008237185.tif 000009